(57)【要約】【課題】給排水を水槽底部の一箇所から行うことが可能となり、ペットに気付かせずに徐々に水槽内に水を供給できるようにする。【解決手段】ペットリハビリ用プールあるいはペット入浴用風呂等として使用するペット用水槽の給排水装置であって、該水槽１の内底部に凹陥状の給排水部２１を備え、該給排水部２１は、水槽１上方に配している栓２４から下方に延設した可撓管２５を介して接続した側部給水口２３を備え、該側部給水口２３から内底部上方に水が徐々に湧き出すように給水可能として成る。また、給排水部２１は、水槽１上方に設けた栓２６に、ガイド管３６内で長手方向に沿ってスライド可能とした操作部材２７を介して接続したバルブ２８を配して成る底部排水口２２を備え、排水時に栓２６の押圧操作によってバルブ２８を給排水部２１の内部上方に押上することで底部排水口２２を開放して排水可能にする。【選択図】図５
2010104238.tif 000002
【特許請求の範囲】
【請求項１】
ペットリハビリ用プールあるいはペット入浴用風呂等として使用されるペット用水槽の給排水装置であって、該水槽の内底部に凹陥状の給排水部を備え、該給排水部は、水槽上方に配されている栓から下方に延設した管を介して接続された側部給水口を備え、該側部給水口から内底部上方に水が徐々に湧き出すように給水可能として形成されていることを特徴とするペット用水槽の給排水装置。
【請求項２】
給排水部は、水槽上方に設けた栓に、ガイド管内で長手方向に沿ってスライド可能とした操作部材を介して接続されたバルブを配して成る底部排水口を備え、排水時に栓の押圧操作によってバルブを給排水部の内部上方に押上させることで底部排水口を開放させて排水可能として形成されていることを特徴とする請求項１記載のペット用水槽の給排水装置。
【請求項３】
給排水部内には、ペット抜け毛止め用の脱着可能な通水性枡体が配されている請求項１または２記載のペット用水槽の給排水装置。
【発明の詳細な説明】
【技術分野】
【０００１】
本発明は、ペットリハビリ用プールあるいはペット入浴用風呂等の各種水槽の給排水を当該水槽底部の一箇所から行うことの可能なペット用水槽の給排水装置に関する。
【背景技術】
【０００２】
近年においては、人間だけでなく犬や猫等のペットの運動不足も問題となっているため、数多くのペット用リハビリ装置が開発されている。従来、この種のペット用リハビリ装置としては、例えば特許文献１に開示されているように、犬や猫等の陸上動物のペット用の水中歩行装置なる技術が存在する。
【０００３】
すなわち、この装置は、ペットの大きさに応じて水位が調整される水槽と、水槽内の底部に配設された歩行ベルト機構と、ペットの前方からジェット水流を噴射するジェット噴出機構とを有し、歩行ベルト機構は、水槽内に平行に配設される２本の水平軸と、この２本の水平軸に巻回される無端環状ベルトと、水平軸を無端環状ベルトが渡された方向に対してスライド可能に左右両端部で支持する支持部と、支持部を介して水平軸の左右両端部をペットの前方へ引っ張る引張り部材としての発条と、水平軸を回転駆動するための駆動モータとから構成されている。
【０００４】
そして、このジェット噴出機構は、ポンプにより吸引した水をペットの前方のジェットノズルから噴射することにより、ペットの歩行に負荷を掛け、しかも水深を変化させてトレーニングすることが可能となっている。
【０００５】
また、特許文献２には、２本のシャフトおよび２本のシャフト間に配置したローラにより無端環状ベルトを引っ張る構成が記載されている。
【０００６】
これら水槽内に水を供給する場合には、例えばホース・シャワー・蛇口等によって水槽の上から水を注入している。そして、使用後に水槽内の水を排水する場合には、水槽内底部の排水口に嵌め込んである柱状の封止弁を手で抜いて排水している。
【特許文献１】特開２００７−１５１８９４号公報
【特許文献２】英国特許第２３７８１３９号明細書
【発明の開示】
【発明が解決しようとする課題】
【０００７】
しかしながら、原則としてペットは水が嫌いであることから、上記した従来の方法で水槽の上から水を注入するのでは、ペットが驚き、かえってストレスを与えてしまう。そのため、ペットは水槽の中に入るのを嫌がってしまうおそれがあった。また、使用後には水槽内の水中底部の排水口位置まで手を入れ、排水口に嵌め込んである封止弁を抜いて排水しているので、操作が非常に面倒であり、しかも手も汚れてしまう問題があった。
【０００８】
そこで、本発明は、叙上のような従来存した諸事情に鑑み案出されたもので、ペットリハビリ用プールあるいはペット入浴用風呂等の各種水槽の給排水を当該水槽底部の一箇所から行うことが可能となり、ペットに気付かせずに徐々に水槽内に水を供給することができると共に、使用後の排水時には水槽内の水中に手を入れることなく排水することができ、且つ小動物ペットの大小各サイズに見合った水槽内の水位の調整が可能となるペット用水槽の給排水装置を提供することを目的とする。
【課題を解決するための手段】
【０００９】
上述した課題を解決するため、本発明にあっては、ペットリハビリ用プールあるいはペット入浴用風呂等として使用されるペット用水槽の給排水装置であって、該水槽の内底部に凹陥状の給排水部を備え、該給排水部は、水槽上方に配されている栓から下方に延設した管を介して接続された側部給水口を備え、該側部給水口から内底部上方に水が徐々に湧き出すように給水可能として形成されていることを特徴とする。
【００１０】
給給排水部は、水槽上方に設けた栓に、ガイド管内で長手方向に沿ってスライド可能とした操作部材を介して接続されたバルブを配して成る底部排水口を備え、排水時に栓の押圧操作によってバルブを給排水部の内部上方に押上させることで底部排水口を開放させて排水可能として形成されていることを特徴とする。
【００１１】
また、給排水部内には、ペット抜け毛止め用の脱着可能な通水性枡体が配されている。
【発明の効果】
【００１２】
本発明によれば、ペットリハビリ用プールあるいはペット入浴用風呂等の各種水槽の給排水を当該水槽底部の一箇所から行うことが可能となり、ペットに気付かせずに徐々に水槽内に水を供給することができると共に、使用後の排水時には水槽内の水中に手を入れることなく排水することができ、且つ小動物ペットの大小各サイズに見合った水槽内の水位の調整が可能となる。
【００１３】
すなわち、ペットリハビリ用プールあるいはペット入浴用風呂等として使用されるペット用水槽の給排水装置であって、該水槽の内底部に凹陥状の給排水部を備え、該給排水部は、水槽上方に配されている栓から下方に延設した管を介して接続された側部給水口を備え、該側部給水口から内底部上方に水が徐々に湧き出すように給水可能として成るので、ペットに気付かせずに徐々に水槽内に水を供給することができ、ペットにストレスを与えないで済む。
【００１４】
給排水部は、水槽上方に設けた栓に、ガイド管内で長手方向に沿ってスライド可能とした操作部材を介して接続されたバルブを配して成る底部排水口を備え、排水時に栓の押圧操作によってバルブを給排水部の内部上方に押上させることで底部排水口を開放させて排水可能にして成るので、使用後の排水時には水槽内の水中に手を入れることなく排水することができる。
【００１５】
しかも、使用後の排水時には水槽上方側にある栓の押圧操作によってバルブを給排水部内上方に押上させることで底部排水口が開放されて水槽内の水が排水されるので、水槽内の水中に手を入れる面倒な作業をしなくても容易に排水することができる。しかも、上記した給排水部の構成により、小動物ペットの大小各サイズに見合った水槽内の水位の調整が容易に行える。
【００１６】
また、給排水部内には、ペット抜け毛止め用の脱着可能な通水性枡体が配されているので、排水時に底部排水口がペット抜け毛で詰まって排水不可能となってしまうのを未然に防止することができ、しかも使用後の掃除も手を汚さずに容易に行える。
【発明を実施するための最良の形態】
【００１７】
以下、図面を参照して本発明に係るペット用水槽の給排水装置を実施するための最良の一形態を詳細に説明する。
本発明に係るペットリハビリ用プールあるいはペット入浴用風呂等のペット用水槽が使用されるペット用リハビリ装置は、図１乃至図４に示すように、下面四隅に移動用のキャスターＫを有して成る全面アクリル製の透明な箱体による水槽１の内底部端側に矩形凹陥状の給排水部２１を備えている。
【００１８】
この給排水部２１には、図５および図６に示すように、大径円形開口状の底部排水口２２と、小径円形開口状の側部給水口２３とが設けられ、側部給水口２３は、水槽１の上端縁部側に配されている水温調整機能を備えた栓２４の上端からＵ字状に折曲されて下方に延設した蛇腹状の可撓管２５の下端開口側に接続されている。
【００１９】
また、底部排水口２２は断面が円形段差状に形成されており、栓２４に隣接して配された例えばプッシュ式等の栓２６に操作部材２７を介して接続されたバルブ２８が底部排水口２２の段差に係止された状態で配されている。すなわち、栓２６は、水槽１の上端縁部側に凹設された筒状の凹部２９内にコイルスプリング３０を介して挿入されており、凹部２９の上部開口縁側から内側に向けて環状に突設したフランジ部３１にコイルスプリング３０の弾発力によって当該栓２６が常時係止されている。
【００２０】
そして、操作部材２７は凹部２９の底部中央に形成されている通孔部３２から下方に延設され、給排水部２１の底部排水口２２を下方から覆うように設けられた排水用筐体３３の側面開口部３４を介してバルブ２８に接続されている。この排水用筐体３３の他の側面には排水管３５が接続されている。また、凹部２９底部の通孔部３２から排水用筐体３３の側面開口部３４にかけては蛇腹状のガイド管３６が接続され、前記操作部材２７はこのガイド管３６に覆われている。
【００２１】
これにより排水時には、栓２６の押圧操作で例えば金属線等の剛性を有する操作部材２７がガイド管３６内で長手方向に沿ってスライド可能となり、操作部材２７を通してバルブ２８が給排水部２１内部上方へ押し込まれることで底部排水口２２を開放できるようにしている（図６の破線参照）。そして、栓２６の押圧を解除することで当該栓２６をコイルスプリング３０の弾発力で元位置に復帰させた際には、操作部材２７を通してバルブ２８が底部排水口２２を塞ぐようにしている（図６の実線参照）。
【００２２】
また、給排水部２１内には、ペット抜け毛止め用の脱着可能な通水性枡体３７が配されている。すなわち、この通水性枡体３７は、多数の小孔３７ａを有する矩形状のステンレス製駕籠体によって形成されており、その上部開口側には通水性枡体３７の取り出し操作を容易にするための取っ手３７ｂが相対向する中央縁部に架け渡すようにして横架され、さらに、その下面両端側には、バルブ２８の開閉動作に干渉しない空間が形成されるように通水性枡体３７の底部を浮かせるための略Ｕ字枠状の脚部３７ｃが両端に形成されている。
【００２３】
また、栓２４には蛇腹状の可撓管３８を介してシャワーノズル３９が接続されており、該シャワーノズル３９は水槽１の内壁面に形成されているＣリング状の掛架部４０に引っ掛けられるようにしてある。尚、図３および図４中の符号４１は、給排水部２１、ガイド管３６、可撓管２５等のメンテナンス管理用の窓部である。
【００２４】
水槽１内には、例えば、素材がダイビング等に使用するネオプレーンゴム製のウエットスーツからなる柔軟性を有するペット抱え用の吊り下げシート２が吊り下げられており、この吊り下げシート２の水槽１内への取付配置例としては、図１乃至図４に示すように、例えばその四隅に紐材Ｌを縛着しておき、水槽１上縁の四隅に各配した相対向する開閉回転可能な一対の弾性部材からなる保持部１４により挟持固定させる。この吊り下げシート２の前側および後側には、ペットＰの前足および後足をそれぞれ通すための合計４つの足入れ孔が形成されている。
【００２５】
また、水槽１の内底部には、下面四隅に配した例えばゴム等の弾性部材による脚部８を介して着脱可能に設置される駆動部７と、該駆動部７の中央で巡廻可能に配設された無端環状ベルト３とが設けられている。そして、無端環状ベルト３の回転速度および水槽１内部の水温等をコントロールする制御部４と、水槽１内での駆動部７の上下水平位置の調整および前後傾斜角度の調整を共に可能とする前後一対の昇降調整機構５とを備えている。
【００２６】
駆動部７は、図１乃至図３に示すように、例えば矩形状に組まれた枠体内で回転可能に取り付けられた前後２本のシャフト１０の各中間に例えば３つのスプロケット１１が等間隔毎に嵌着され、該スプロケット１１によって無端環状ベルト３が巻架張設されている。そして、一方のシャフト１０の一端に配したラックギア１２に、出力軸１３ａを介して駆動モータＭに繋がるピニオンギア１３を噛合させている。したがって、駆動モータＭの駆動力によってピニオンギア１３・ラックギア１２を介して一方のシャフト１０がスプロケット１１と一体となって回転駆動することで無端環状ベルト３が駆動部７の中央面に沿って巡廻する。
【００２７】
次に、以上のように構成されたペット用水槽の給排水装置の最良の形態についての使用、動作の一例について詳細に説明する。
【００２８】
先ず、図１乃至図３に示すように、ペット抱え用の吊り下げシート２の四隅に縛着した紐材Ｌを、水槽１上縁の四隅に各配した一対の弾性部材からなる保持部１４により挟持固定させ、当該吊り下げシート２を水槽１内に吊り下げ配置させる。そして、ペットＰは、吊り下げシート２の足入れ孔に足を入れ、当該吊り下げシート２で抱きかかえられるようにして吊り下げられ、水槽１内底部に配した駆動部７中央の無端環状ベルト３に足を載せておく。
【００２９】
次に、図６に示すように、栓２４を開いて水槽１内に水を供給する。このとき、水は可撓管２５を通って側部給水口２３から給排水部２１に入り、水槽１の内底部側から湧き出すようにして徐々に水槽１内を水で満たして行く。満水となった状態で、駆動モータＭによって無端環状ベルト３を駆動回転させ、ペットＰを水中歩（走）行運動させる。
【００３０】
使用後の排水時には、栓２６を手指で押圧操作すると、操作部材２７を介してバルブ２８が給排水部２１の内部上方へ押し込まれることで底部排水口２２が開放され、水槽１内の水は排水される。排水終了後には、給排水部２１内から通水性枡体３７を取り出し、当該通水性枡体３７に溜まったペット抜け毛を回収して廃棄処理する。
【図面の簡単な説明】
【００３１】
【図１】本発明を実施するための最良の形態におけるペット用リハビリ装置の概略構成を正面側から見た断面図である。
【図２】同じくペット用リハビリ装置の概略構成を示す平面図である。
【図３】同じくペット用リハビリ装置の概略構成を示すもので、昇降調整機構により駆動部を水平下降させてある状態の側面図である。
【図４】水槽の栓と、底部の給排水部との概略構成を示す斜視図である。
【図５】同じく水槽の栓と、底部の給排水部との概略構成を正面側から見た断面図である。
【符号の説明】
【００３２】
Ｐ      ペット
Ｋ      キャスター
Ｍ      駆動モータ
Ｌ      紐材
１      水槽
２      吊り下げシート
３      無端環状ベルト
４      制御部
５      昇降調整機構
６      枠体
７      駆動部
８      脚部
１０    シャフト
１１    スプロケット
１２    ラックギア
１３    ピニオンギア
１３ａ  出力軸
１４    保持部
２１    給排水部
２２    底部排水口
２３    側部給水口
２４    栓
２５    可撓管
２６    栓
２７    操作部材
２８    バルブ
２９    凹部
３０    コイルスプリング
３１    フランジ部
３２    通孔部
３３    排水用筐体
３４    側面開口部
３５    排水管
３６    ガイド管
３７    通水性枡体
３７ａ  小孔
３７ｂ  取っ手
３７ｃ  脚部
３８    可撓管
３９    シャワーノズル
４０    掛架部
４１    窓部
【図１】
2010104238.tif 000003
【図２】
2010104238.tif 000004
【図３】
2010104238.tif 000005
【図４】
2010104238.tif 000006
【図５】
2010104238.tif 000007